(57)【要約】本発明は、壁に固定することができる第１のブラケット（３）；シートまたはベアリング面に連結することができる第２のブラケット（５）；第１のアーム（７）であって、第１のアーム（７）の第１の端部（７０）が、第１のブラケット（３）の第１の部分（３０）にヒンジ結合され、第１のアーム（７）の第２の端部（７１）が、第２のブラケット（５）の第１の部分（５０）にヒンジ結合されている、第１のアーム；および、第２のアーム（９）であって、第２のアーム（９）の第１の端部（９０）が、第１のブラケット（３）の第２の部分（３１）にヒンジ結合され、第２のアーム（９）の第２の端部（９１）が、第２のブラケット（５）の第２の部分（５１）にヒンジ結合されている、第２のアーム；を含む、シートまたはベアリング面を特に支持する折り畳み可能な関節構造（１）に関する。折り畳み可能な関節構造（１）は、壁の平面と実質的に平行である平面上に第２のブラケット（５）が位置する閉形態から、壁の平面と実質的に垂直である平面上に第２のブラケット（５）が位置する開形態に可動である。第２のブラケット（５）は、第２のブラケット（５）に対して摺動可能であるスライダ（１１）を含む。スライダ（１１）は、開形態において折り畳み可能な関節構造（１）をロックするために作動する第１のフック手段（１３）と、閉形態において折り畳み可能な関節構造（１）をロックするために作動する第２のフック手段（１５）と、を含む。
2020518748.tif 000002
【特許請求の範囲】
【請求項１】
シートまたはベアリング面を特に支持する折り畳み可能な関節構造（１）であって、
壁に固定することができる第１のブラケット（３）；
シートまたはベアリング面に連結することができる第２のブラケット（５）；
第１のアーム（７）であって、
前記第１のアーム（７）の第１の端部（７０）が、前記第１のブラケット（３）の第１の部分（３０）にヒンジ結合され、
前記第１のアーム（７）の第２の端部（７１）が、前記第２のブラケット（５）の第１の部分（５０）にヒンジ結合されている、第１のアーム；および、
第２のアーム（９）であって、
前記第２のアーム（９）の第１の端部（９０）が、前記第１のブラケット（３）の第２の部分（３１）にヒンジ結合され、
前記第２のアーム（９）の第２の端部（９１）が、前記第２のブラケット（５）の第２の部分（５１）にヒンジ結合されている、第２のアーム；を含み、
前記折り畳み可能な関節構造（１）は、前記壁の平面と実質的に平行である平面上に前記第２のブラケット（５）が位置する閉形態から、前記壁の前記平面と実質的に垂直である平面上に前記第２のブラケット（５）が位置する開形態に可動であり、
前記第２のブラケット（５）は、前記第２のブラケット（５）に対して摺動可能であるスライダ（１１）を含み、
前記スライダ（１１）は、前記開形態において前記折り畳み可能な関節構造（１）をロックするために作動する第１のフック手段（１３）と、前記閉形態において前記折り畳み可能な関節構造（１）をロックするために作動する第２のフック手段（１５）と、を含む、折り畳み可能な関節構造（１）。
【請求項２】
前記第１のフック手段（１３）が、前記折り畳み可能な関節構造（１）の前記開形態において、締結ピン（１０）にフック留めされるように構成されている第１のフック（１３０）を含む、請求項１に記載の折り畳み可能な関節構造（１）。
【請求項３】
前記第２のフック手段（１５）が、前記折り畳み可能な関節構造（１）の前記閉形態において、締結ピン（１０）にフック留めされるように構成されている第２のフック（１５０）を含む、請求項１または２に記載の折り畳み可能な関節構造（１）。
【請求項４】
前記第１のフック（１３０）および前記第２のフック（１５０）が、前記折り畳み可能な関節構造（１）の前記開形態および前記閉形態のそれぞれにおいて、同じ締結ピン（１０）にフック留めされるように構成される、請求項１〜３の何れか一項に記載の折り畳み可能な関節構造（１）。
【請求項５】
前記第２のブラケット（５）と前記スライダ（１１）との間に介在し、前記折り畳み可能な関節構造（１）の前記開形態において前記締結ピン（１０）と係合した前記第１のフック（１３０）を保持し、前記折り畳み可能な関節構造（１）の前記閉形態において前記締結ピン（１０）と係合した前記第２のフック（１５０）を保持するように構成されている引張弾性手段（１７）を含む、請求項１〜４の何れか一項に記載の折り畳み可能な関節構造（１）。
【請求項６】
前記第１のブラケット（３）を前記第１のアーム（７）および前記第２のアーム（９）にヒンジ結合する各軸が、第１の軸間距離（１０１）を画定し、
前記第２のブラケット（５）を前記第１のアーム（７）および前記第２のアーム（９）にヒンジ結合する各軸が、第２の軸間距離（１０２）を画定し、
前記第１のアーム（７）を前記第１のブラケット（３）および前記第２のブラケット（５）にヒンジ結合する各軸は、第３の軸間距離（１０３）を画定し、
前記第２のアーム（９）を前記第１のブラケット（３）および前記第２のブラケット（５）にヒンジ結合する各軸は、第４の軸間距離（１０４）を画定し、
前記第１の軸間距離（１０１）および前記第３の軸間距離（１０３）の長さの合計が、前記第２の軸間距離（１０２）および前記第４の軸間距離（１０４）の長さの合計に等しい、請求項１〜５の何れか一項に記載の折り畳み可能な関節構造（１）。
【請求項７】
前記弾性手段（１７）が、第１の端部（１７１）が前記スライダ（１１）と一体である第１のフラップ（１１０）に固定され、第２の端部（１７２）が前記第２のブラケット（５）と一体である第２のフラップ（５３）に連結されているばね（１７０）を含み、
前記スライダ（１１）が、前記第２のフラップ（５３）と交差する長手方向に延在し、前記スライダ（１１）と前記第２のブラケット（５）との間の相対移動を可能にするよう構成されているウインドウ（１１２）を含む、請求項１〜６の何れか一項に記載の折り畳み可能な関節構造（１）。
【請求項８】
シートまたはテーブルが前記第２のブラケット（５）に連結されている、請求項１〜７の何れか一項に記載の折り畳み可能な関節構造（１）。
【請求項９】
折り畳み可能な部分（１９０）を含むシート（１９）が前記第２のブラケット（５）に連結し、
前記折り畳み可能な関節構造（１）が、第１の端部（１９２）において前記第１のアーム（７）にヒンジ結合され、第２の端部において前記シート（１９）の前記折り畳み可能な部分（１９０）にヒンジ結合されている保持レバー（１９１）を含み、
前記折り畳み可能な関節構造（１）の前記開形態において、前記保持レバー（１９１）によって前記シート（１９）の前記折り畳み可能な部分（１９０）が座面から持ち上げられる、請求項１〜８の何れか一項に記載の折り畳み可能な関節構造（１）。
【請求項１０】
前記第１のブラケット（３）、前記第２のブラケット（５）、前記第１のアーム（７）、および前記第２のアーム（９）が、それぞれのヒンジ点において、四節リンク機構を画定し、四節リンク機構の側部が前記閉形態において直線に沿って配置され、前記開形態において前記四節リンク機構は直角三角形として構成されている、請求項１〜９の何れか一項に記載の折り畳み可能な関節構造（１）。
【発明の詳細な説明】
【技術分野】
【０００１】
本発明は、折り畳み可能な関節構造に関する。より具体的には、シートまたはベアリング面を特に支持する四節リンク機構に関する。
【背景技術】
【０００２】
四節リンク機構によって画定される関節構造は、最も多様な技術分野において、それらが取り得る多様な形状で実施される。例えば、ゲート、ドア、シャッタ、傾斜要素、およびドロップリーフテーブルを移動させる運動学的機構等が挙げられる。
【０００３】
公知のタイプのこのような関節構造に共通する問題は、例えば、ガレージまたはドロップリーフテーブルの傾斜要素の場合において、構造自体のロックが動作位置、すなわち開位置または閉位置を確実にする方法に関する。
【０００４】
実際に、特に、重力と対比することによって開閉する可動要素の場合、そのような要素が開位置または閉位置に安定して留まることを確実にすることが必要である。
【発明の概要】
【０００５】
本発明の主な課題は上述の技術的課題を解決し、特に開位置および閉位置に安定して留まることができる、シートまたはベアリング面を特に支持する、折り畳み可能な関節構造を製造することにある。
【０００６】
上記課題の範囲内での本発明の目的の１つは、折り畳み可能な関節構造を製造することであり、開閉位置における関節構造のロックは、複雑な技術的解決法または高価な電動化による解決法に頼ることなく、非常に簡単な方法で得られる。
【０００７】
本発明の別の目的は、開位置および閉位置において自動的にロックする折り畳み可能な関節構造を製造することにある。
【０００８】
本発明の別の目的は、サイズおよび重量が低減され、壁に取り付けられたシートを支持するのに特に適した折り畳み可能な関節構造を製造することにある。
【０００９】
本発明のさらなる目的は、使用時の信頼性および安全性の最も十分な保証を提供することができる、折り畳み可能な関節構造を製造することにある。
【００１０】
本発明の別の目的は、製造が容易であり、公知の技術と比較して経済的に競争力のある折り畳み可能な関節構造を製造することにある。
【００１１】
上述した課題および目的、ならびに以下でより明らかになる他の課題および目的は、請求項１に示す、シートまたはベアリング面を特に支持する、折り畳み可能な関節構造によって達成される。
【００１２】
さらなる特徴は、従属請求項に提供される。
【００１３】
他の特徴および利点は、添付の図面を用いて単に非限定的な例として示される、特シートまたはベアリング面を特に支持する、折り畳み可能な関節構造の、限定的ではないが好ましい実施形態の説明から明らかになるのであろう。
【図面の簡単な説明】
【００１４】
【図１】開形態で示される、本発明の一実施形態である折り畳み可能な関節構造の不等角投影図である。
【図２】閉形態で示される、本発明の一実施形態である折り畳み可能な関節構造の不等角投影図である。
【図３】本発明である、図１の折り畳み可能な関節構造の分解斜視図である。
【図４】本発明である、図１の折り畳み可能な関節構造の側面図であり、図１の開形態から図２の閉形態に移る工程を示す。
【図５】本発明である、図１の折り畳み可能な関節構造の側面図であり、図１の開形態から図２の閉形態に移る工程を示す。
【図６】本発明である、図１の折り畳み可能な関節構造の側面図であり、図１の開形態から図２の閉形態に移る工程を示す。
【図７】本発明である、図１の折り畳み可能な関節構造の側面図であり、図１の開形態から図２の閉形態に移る工程を示す。
【図８】本発明である、図１の折り畳み可能な関節構造の側面図であり、図１の開形態から図２の閉形態に移る工程を示す。
【図９】本発明である、図１の折り畳み可能な関節構造の底部の不等角投影図である。
【図１０】本発明である、図１の折り畳み可能な関節構造の底部の不等角投影図であり、特に、開形態におけるロック工程を示す。
【図１１】本発明である、図１の折り畳み可能な関節構造の底部の不等角投影図であり、特に、開形態におけるロック工程を示す。
【図１２】本発明である、図１の折り畳み可能な関節構造の底部の不等角投影図であり、特に、開形態におけるロック工程を示す。
【図１３】図１の折り畳み可能な関節構造の後ろからの不等角投影図であり、特に、閉形態におけるロック工程を示す。
【図１４】図１の折り畳み可能な関節構造の後ろからの不等角投影図であり、特に、閉形態におけるロック工程を示す。
【図１５】図１の折り畳み可能な関節構造の後ろからの不等角投影図であり、特に、閉形態におけるロック工程を示す。
【図１６】本発明である、折り畳み可能な関節構造の下からの詳細な不等角投影図である。
【図１７】本発明である、折り畳み可能な関節構造の変形例の側面図であり、関節構造自体の閉形態から開形態に移る工程を示す。
【図１８】本発明である、折り畳み可能な関節構造の変形例の側面図であり、関節構造自体の閉形態から開形態に移る工程を示す。
【図１９】本発明である、折り畳み可能な関節構造の変形例の側面図であり、関節構造自体の閉形態から開形態に移る工程を示す。
【図２０】本発明である、折り畳み可能な関節構造の変形例の側面図であり、関節構造自体の閉形態から開形態に移る工程を示す。
【発明を実施するための形態】
【００１５】
図面を参照すると、全体として参照番号１で示される、シートまたはベアリング面を特に支持する折り畳み可能な関節構造は、壁に固定することができる第１のブラケット３と、シートまたはベアリング面に連結することができる第２のブラケット５と、第１のアーム７と、第２のアーム９とを備える。
【００１６】
第１のアーム７の第１の端部７０は、第１のブラケット３の第１の部分３０にヒンジ結合されている。
【００１７】
第１のアーム７の第２の端部７１は、第２のブラケット５の第１の部分５０にヒンジ結合されている。
【００１８】
第２のアーム９の第１の端部９０は、第１のブラケット３の第２の部分３１にヒンジ結合されている。
【００１９】
第２のアーム９の第２の端部９１は、第２のブラケット５の第２の部分５１にヒンジ結合されている。
【００２０】
折り畳み可能な関節構造１は、壁の平面と実質的に平行である平面上に第２のブラケット５が位置する閉形態から、壁の平面と実質的に垂直である平面上に第２のブラケット５が位置する開形態に可動である。
【００２１】
本発明によれば、第２のブラケット５は、第２のブラケット５に対して摺動可能であるスライダ１１を備えている。スライダ１１は、開形態において折り畳み可能な関節構造１をロックするために作動する第１のフック手段１３と、閉形態において折り畳み可能な関節構造１をロックするために作動する第２のフック手段１５と、を含む。
【００２２】
有利には、第２のブラケット５がシート１９またはテーブルと連結していてもよい。両方に連結する場合、折り畳み可能な関節構造１の開形態はシート面としてのシート１９またはベアリング面としてのテーブルの使用形態と一致し、一方、折り畳み可能な関節構造１の閉形態は、シート１９またはテーブルの休止形態と一致する。
【００２３】
有利には、第２のブラケット５が支持バーと連結していてもよい。折り畳み可能な関節構造１の開形態は、年長の利用者または運動障害のある利用者のためのベアリング点として作用する支持バーの使用形態と一致する。これにより、折り畳みタイプの支持バーまたは補助バーが得られる。
【００２４】
さらに、シートまたはベアリング面の支持に加えて、検査される関節構造は適切な大きさであることが有利であり、コンパクトな直線形態から開放された直交形態に迅速かつ正確に移行することが有用であるすべての支持構造に使用されるのに適している。
【００２５】
有利には、第１のフック手段１３が折り畳み可能な関節構造１の開形態において、締結ピン１０にフック留めされるように構成されている第１のフック１３０を備える。
【００２６】
有利には、第２のフック手段１５が折り畳み可能な関節構造１の閉形態において、締結ピン１０にフック留めされるように構成されている第２のフック１５０を含む。
【００２７】
好ましくは、添付図面に示す折り畳み可能な関節構造１の実施形態に示されるように、第１のフック１３０および第２のフック１５０はそれぞれ、折り畳み可能な関節構造１の開形態および閉形態において、同じ締結ピン１０にフック留めされるように構成される。
【００２８】
有利には、締結ピン１０を第１のアーム７上に配置してもよい。
【００２９】
有利には、第１の締結手段１３０が一対の隣り合うフック１３０、１３０’を含んでいてもよい。
【００３０】
有利には、第２の締結手段１５０が一対の隣り合うフック１５０、１５０’を含んでいてもよい。
【００３１】
折り畳み可能な関節構造１は、第２のブラケット５とスライダ１１との間に介在し、折り畳み可能な関節構造１の開形態において締結ピン１０と係合した第１のフック１３０を保持し、折り畳み可能な関節構造１の閉形態において締結ピン１０と係合した第２のフック１５０を保持するように構成されている引張弾性手段１７を備える。
【００３２】
弾性手段１７は、第１の端部１７１がスライダ１１と一体であり、そこから突出する第１のフラップ１１０に固定され、第２の端部１７２が第２のブラケット５と一体であり、そこから突出する第２のフラップ５３に連結されているばね１７０を含んでいることが有利である。スライダ１１は第２のフラップ５３と交差する長手方向に延在し、スライダ１１と第２のブラケット５との間の相対運動を可能にするようにサイズ決めされたウインドウ１１２を含む。
【００３３】
図１７〜図２０により良く示されるように、折り畳み可能な関節構造１において、有利な点は以下のようになる：
第１のブラケット３を第１のアーム７および第２のアーム９にヒンジ結合する各軸は、第１の軸間距離１０１を画定する；
第２のブラケット５を第１のアーム７および第２のアーム９にヒンジ結合する各軸は、第２の軸間距離１０２を画定する；
第１のアーム７を第１のブラケット３および第２のブラケット５にヒンジ結合する各軸は、第３の軸間距離１０３を画定する；
第２のアーム９を第１のブラケット３および第２のブラケット５にヒンジ結合する各軸は、第４の軸間距離１０４を画定する。
【００３４】
好ましくは、第１の軸間距離１０１および第３の軸間距離１０３の長さの合計が、第２の軸間距離１０２および第４の軸間距離１０４の長さの合計に等しい。
【００３５】
有利には、第１のブラケット３、第２のブラケット５、第１のアーム７、および第２のアーム９はそれぞれのヒンジ点において、４節リンク機構、特に、その側部が閉形態において直線に沿って配置される４節リンク機構を画定する。実際、最長の軸間距離と最短の軸間距離との合計は、中間の長さである２つの軸間距離の合計に等しい。
【００３６】
有利には、四節リンク機構は第１のブラケット３によって壁に固定された直角三角形のように、開形態または使用形態で構成される。
【００３７】
図２０に概略的に示すように、この位置において、第２のブラケット５および第１のアーム７は整列され、第１のブラケット３（隣辺）によって、第２のアーム９（斜辺）によって、および第２のブラケット５および第１のアーム７（隣辺）の結合によって形成される直角三角形の隣辺の１つを形成する。
【００３８】
有利には、第１のアーム７および第２のアーム９は、それらが支持すべき荷重に基づいて、長手方向に延びる１つ以上の要素を含んでいてもよい。例えば、図３を参照すると、第１のアーム７は長手方向に延在する単一の要素によって画定される。一方、第２のアーム９は長手方向９、９’に延在する一対の要素によって画定される。有利には、折り畳み可能な関節構造１の閉形態において、第１のアーム７は、第２のアーム９を画定する長手方向９、９’に延在する２つの要素の間に受け入れられる。
【００３９】
有利には、第２のブラケット５が上下逆Ｕ字断面を有する。これにより、スライダ１１は、第２のブラケット５内の底部に摺動可能に収容される。スライダ１１は実際には、第２のブラケット５によって画定される凹部内に収容された、長手方向に延在するプレートであってもよい。
【００４０】
有利には、スライダ１１は、第２のブラケット５に設けられた対応するスリット５４の内側に横方向に突出して摺動する一対のウイング１１４を含んでいてもよい。さらに、スライダ１１は、第２のブラケット５から底部に突出するピン５５が交差するスロット１１６を含んでいてもよい。ウイング１１４とスリット５４との間、およびスロット１１６とピン５５との間の連結は、第２のブラケット５とスライダ１１との間の主軸方向の相対運動を可能にする。
【００４１】
有利には、特に図１０、１１および１２に示すように、第１のフック１３０および１３０’は傾斜または湾曲した導入面１３２を有していてもよい。導入面がピン１０に接触することによって、ピン１０がフック１３０、１３０’内に受け入れられる点までの、弾性手段１７によって引き起こされる引張力に対抗するスライダ１１の移動が生じ、そして、折り畳み可能な関節構造１が開形態でロックされることができる。
【００４２】
さらに、有利には、特に図１３、図１４および図１５に示すように、第２のフック１５０および１５０’は、傾斜または湾曲した導入面１５２を有していてもよい。導入面がピン１０に接触することによって、ピン１０がフック１５０、１５０’内に受け入れられる点までの、弾性手段１７によって引き起こされる引張力に対抗するスライダ１１の移動が生じ、そして、折り畳み可能な関節構造１が閉形態でロックされることができる。
【００４３】
有利には、スライダ１１は、ユーザによって把持し得る把持部１１８を含む。構造１の開形態において第１のフック手段１３からピン１０を解放するために弾性手段１７によって引き起こされる引張力に対抗させるために、把持部を引っ張って、第２のブラケット５に対してスライダ１１を移動させてもよい。
【００４４】
折り畳み可能な関節構造１の閉形態において第２のフック手段１５からピン１０を解放するために弾性手段１７によって引き起こされる引張力に対抗させるために、把持部１１８を引っ張って、第２のブラケット５に対してスライダ１１を移動させてもよい。
【００４５】
しかしながら、把持部１１８が折り畳み可能な関節構造１の閉形態において容易に到達できない場合には、ピン１０に対する第２のフック手段１５の解放が好ましくは、第２のブラケット５またはそれに連結するシート１９を外側に引っ張ることによって簡単に得られる。実際、この場合、第２のフック１５０、１５０’の導入面１５２の特定の湾曲したプロファイルは、ピン１０がこのような面に沿って摺動することを可能にする。したがって、本質的には、湾曲した導入面１５２によって、ユーザは第２のブラケット５に適切な力を及ぼし、弾性手段１７によって及ぼされる引張力に打ち勝たせ、ピン１０を第２のフッキング装置１５から解放してもよい。
【００４６】
これにより、フック１３０、１３０’、１５０および１５０’の形状により、折り畳み可能な関節構造１の自動的なロックは、開形態および閉形態において確実となる。また、例えば、構造１が開形態にあるときに把持部１１８を引っ張ることによって、または構造１が閉形態にあるときに第２のブラケット５またはそれに連結するシート１９を持ち上げることによって、ユーザの手動による介在の手段によってのみ解放が起こり得る。
【００４７】
有利には、特に図１７〜図２０に示される折り畳み可能な関節構造１の変形例に示されているように、折り畳み可能な部分１９０を含むシート１９が第２のブラケット５に連結している。折り畳み可能な関節構造１は、第１の端部１９２において第１のアーム７にヒンジ結合され、第２の端部１９３においてシート１９の折り畳み可能な部分１９０にヒンジ結合されている保持レバー１９１を含む。折り畳み可能な関節構造１の開形態において、保持レバー１９１がシート面に対してシート１９の折り畳み可能部分１９０を持ち上げる。
【００４８】
これにより、開形態において、シート１９の折り畳み可能部分１９０がシート１９に座っている人の腰部支持に特に適した小さな背もたれになる。一方、閉形態において、シート１９が壁に完全に接着したままである。
【００４９】
シート１９の折り畳み可能部分１９０はその中に、シート１９の残りの部分の内側の剛性構造にヒンジ結合されている剛性構造を含んでいてもよい。または、折り畳み可能部分１９０がシート１９自体の弾性的に変形可能な部分であってもよい。
【００５０】
折り畳み可能な関節構造１の動作を、特に添付の図面を参照して以下に説明する。
【００５１】
図４は、折り畳み可能な関節構造１の開形態を示す。第１のフック１３０はピン１０と係合する。このような係合は、スライダ１１を押し出す弾性手段１７の効果によって維持され、ピン１０に対してフック１３０を押し付ける。
【００５２】
ピン１０は、ピン５６によって第２のブラケット５にヒンジ結合されている第１のアーム７に固定される。したがって、開形態において、ピン１０は実際には第２のブラケット５と一体である。
【００５３】
折り畳み可能な関節構造１を折り畳むために、例えば手で把持部１１８を把持して、弾性手段１７によって及ぼされる引張力に対抗して、スライダ１１を第２のブラケット５に対してフック１３０をピン１０との係合から解放する点まで、移動させる必要がある。
【００５４】
図５〜図７は、図８に示す閉形態に到達するまでの、折り畳み可能な関節構造１の特定の折り畳み工程を示す。
【００５５】
ピン１０は、閉形態において第２のフック１５０に面する。ピン１０がフック１５０に挿入されるためには、弾性手段１７によって及ぼされる引張力に対抗して、スライダ１１を第２のブラケット５に対して相対的に移動させる必要がある。移動はピン１０上を摺動するフック１５０の湾曲した導入面１５２によって引き起こされる。
【００５６】
開形態で生じるのと同様に、ピン１０は閉形態においても弾性手段１７の引っ張りの効果により、フック１５０と安定して係合する。
【００５７】
閉形態の解除はスライダ１１の把持部１１８を手動で引っ張り、第２のフック１５０および１５０’をピン１０から解放することによって、または好ましくは、第２のブラケット５またはシート１９またはそれに連結する支持面を外側に持ち上げることによって行うこともできる。
【００５８】
ピン１０が第１のフック１３０に挿入されると、開形態における折り畳み可能な関節構造１のロックが生じる。これを自動的に行うために、フック１３０はピン１０に対して傾斜したその導入面１３２に面し、その結果、第２のブラケット５に対するスライダ１１の軸方向の移動が生じ、したがって、弾性手段１７によって及ぼされる引張力に対抗する。
【００５９】
本発明の目的である、シートまたはベアリング面を特に支持する折り畳み可能な関節構造は、開形態および閉形態における構造自体の安定したロックを確実にするという利点を有する。
【００６０】
本発明である折り畳み可能な関節構造の別の利点は、閉形態または開形態における構造のロックが自動的に行われ、解放はユーザの手動による介在によってのみ可能であることである。
【００６１】
本発明である折り畳み可能な関節構造の別の利点は、構造上製造が非常に簡単であり、限られた数の構成要素を有し、同時に、特に丈夫であることである。
【００６２】
上述の折り畳み可能な関節構造は多くの改変および変形が可能であり、すべて本発明の範囲内である。さらに、すべての詳細は、同等の技術的要素によって置き換えることができる。実際には、使用される材料およびそのサイズは、技術的要件に応じて任意の種類のものとしてもよい。
【図１】
2020518748.tif 000003
【図２】
2020518748.tif 000004
【図３】
2020518748.tif 000005
【図４】
2020518748.tif 000006
【図５】
2020518748.tif 000007
【図６】
2020518748.tif 000008
【図７】
2020518748.tif 000009
【図８】
2020518748.tif 000010
【図９】
2020518748.tif 000011
【図１０】
2020518748.tif 000012
【図１１】
2020518748.tif 000013
【図１２】
2020518748.tif 000014
【図１３】
2020518748.tif 000015
【図１４】
2020518748.tif 000016
【図１５】
2020518748.tif 000017
【図１６】
2020518748.tif 000018
【図１７】
2020518748.tif 000019
【図１８】
2020518748.tif 000020
【図１９】
2020518748.tif 000021
【図２０】
2020518748.tif 000022
【国際調査報告】
2020518748.tif 000023
2020518748.tif 000024